(57)【要約】【課題】  送話者、受話者の利便性を向上させる無線端末、管理サーバおよびＰＰＴシステムを得る。【解決手段】  無線端末２０は、送話者が発する音声を取得するマイク２８と、送話者を識別するための識別情報を記憶する記憶部２９と、取得された音声と、記憶部２９から選択された識別情報とを、ＰＴＴ管理サーバ３１を介して同一グループの受話者の無線端末２０に送信する無線端末制御部２６と、ＰＴＴ管理サーバ３１から受信した送話者の識別情報を出力する出力部２３と、ＰＴＴ管理サーバ３１から受信した送話者の音声を出力するスピーカ２５とを備える。【選択図】        図１
2006246201.tif 000002
【特許請求の範囲】
【請求項１】
互いに通話可能な無線端末を予め同一グループとして登録した管理サーバを介して、送信指示を受けている間のみ同一グループ内の無線端末間での通話を実現するＰＴＴシステムに適用される無線端末において、
送話者が発する音声を取得する音声取得手段と、
前記送話者を識別するための識別情報を記憶する記憶手段と、
前記取得された音声と、前記記憶手段から選択された識別情報とを、前記管理サーバを介して同一グループの受話者の無線端末に送信する無線端末制御手段と、
前記管理サーバから受信した送話者の識別情報を出力する出力手段と、
前記管理サーバから受信した送話者の音声を出力する発音手段とを備えたことを特徴とする無線端末。
【請求項２】
記憶手段は、識別情報として、少なくとも送話者の画像データ、メロディデータ、位置データのうちいずれかを記憶することを特徴とする請求項１記載の無線端末。
【請求項３】
互いに通話可能な無線端末を予め同一グループとして登録し、同一グループ内の無線端末間での通話を実現するＰＴＴシステムに適用される管理サーバにおいて、
送話者から送信される音声と、当該送話者を識別するための識別情報とを受信する通信手段と、
前記識別情報に対応する、前記送話者のさらなる情報となる追加情報を記憶する追加情報記憶手段と、
前記受信した識別情報に対応する追加情報を前記追加情報記憶手段から読み出し、前記受信した識別情報および音声と共に、前記通信手段を介して同一グループの受話者の無線端末に送信する管理サーバ制御手段とを備えたことを特徴とする管理サーバ。
【請求項４】
追加情報記憶手段は、送話者の識別情報に対応する追加情報として地図画像を保持し、
管理サーバ制御手段は、送話者から受信した識別情報に対応する地図画像を読み出して、前記識別情報と音声と共に通信手段を介して同一グループの受話者の無線端末に送信することを特徴とする請求項３記載の管理サーバ。
【請求項５】
互いに通話可能な無線端末を予め同一グループとして登録した管理サーバと、送話指示を受けている間のみ送話者の音声を取得し、前記管理サーバを介して同一グループの受話者に送信する無線端末とを備えたＰＴＴシステムにおいて、
前記無線端末が、
送話者が発する音声を取得する音声取得手段と、
前記送話者を識別するための識別情報を記憶する記憶手段と、
前記取得された音声と、前記記憶手段から選択された識別情報とを、前記管理サーバを介して同一グループの受話者の無線端末に送信する無線端末制御手段と、
前記管理サーバから受信した送話者の識別情報を出力する出力手段と、
前記管理サーバから受信した送話者の音声を出力する発音手段とを備え、
前記管理サーバが、
送話者から送信される音声と識別情報とを受信する通信手段と、
前記受信した音声と識別情報とを、前記通信手段を介して同一グループの受話者の無線端末に送信する管理サーバ制御手段とを備えたことを特徴とするＰＰＴシステム。
【発明の詳細な説明】
【技術分野】
【０００１】
この発明は、ＰＴＴシステムおよびＰＰＴシステムに参加する機能を有する無線端末、管理サーバに関するものである。
【背景技術】
【０００２】
ＰＴＴ（Ｐｕｓｈ  Ｔｏ  Ｔａｌｋ）システムとは、”押して”、”話す”というトランシーバ型の通話方式を実現する技術である。現在普及している携帯電話のように、相手の電話番号をダイアルするのではなく、通話可能な相手を選択してボタンを押すだけでよく、わずか数秒で接続可能である。ＰＴＴシステムでは、通話可能な複数の無線端末でグループを確立し、グループ内のある無線端末から他の無線端末に音声を送信することが可能である。従来のＰＴＴシステムでは、グループ内で通話のためのセッションを確立するときは、互いの電話番号に相当する情報の交換を行っていた。送話者が発声したとき、受話側ではグループ内のどのメンバーが話しているのかを特定するには、無線端末に表示される文字情報、または送信される音声自体によって送話者を識別している。
【０００３】
ここで、ＰＴＴ管理サーバを介してグループ内の無線端末同士で情報の交換を行う動作について説明する。グループ内には無線端末は３台以上存在することが可能であるが、ここでは無線端末が２台の場合について示す。従来の無線端末は、アンテナ、無線制御手段、出力部、入力部、スピーカ、無線端末制御部、プッシュボタンおよびマイクを備えていた。送話者は音声を送るとき、自分の無線端末のプッシュボタンを操作し、マイクに対して音声を発する。送話者の無線端末の無線端末制御部はマイクから入力された音声をアンテナを介して無線によりＰＴＴ管理サーバに送信する。ＰＴＴ管理サーバは、送話者を除くグループ内のすべての無線端末を選択し、送話者から送られた音声を受話者に送る。受話者の無線端末は、アンテナを介して無線で音声を受信し、無線端末制御部の制御によってスピーカから送話者の音声を出力する。また、音声と共に送られる電話番号に相当する送話者情報をもとに出力部に文字情報を表示する。
【０００４】
ここで、受話者は送話者が誰であるかを識別するために、スピーカから発せられる音声を聞いて自分自身で送話者を識別するか、あるいは出力部に表示された文字情報を確認することによって識別していた。
【０００５】
【特許文献１】特表２００３−５１７２４３号公報
【発明の開示】
【発明が解決しようとする課題】
【０００６】
従来の無線端末は上記のように構成されているので、ＰＴＴシステムでは、受話者は送話者が誰であるかを識別するために、スピーカから出力される音声、あるいは出力部に表示される文字情報をもとに判断する必要があった。受話者が送話者を音声で識別しようとする場合、無線の電波状況が悪いときなど音声の品質が悪い場合には送話者を識別することが困難になるという課題があった。また、受話者が送話者を文字情報で識別しようとする場合は、常に出力部を注視し、文字情報を読み取る必要があるため、ユーザの利便性を損なうという課題があった。さらに、従来のＰＴＴシステムでは、受話者は送話者の情報として送話者の音声、文字情報といった限られた情報のみを受信しているので、送話者、受話者の利便性が低いという課題もあった。
【０００７】
この発明は、上記のような課題を解決するためになされたものであり、送話者、受話者の利便性を向上させた無線端末、管理サーバおよびＰＰＴシステムを得ることを目的とする。
【課題を解決するための手段】
【０００８】
この発明に係る無線端末は、送話者が発する音声を取得する音声取得手段と、送話者を識別するための識別情報を記憶する記憶手段と、取得された音声と、記憶手段から選択された識別情報とを、管理サーバを介して同一グループの受話者の無線端末に送信する無線端末制御手段と、管理サーバから受信した送話者の識別情報を出力する出力手段と、管理サーバから受信した送話者の音声を出力する発音手段とを備えたものである。
【発明の効果】
【０００９】
この発明によれば、無線端末が、送話者が発する音声を取得する音声取得手段と、送話者を識別するための識別情報を記憶する記憶手段と、取得された音声と、記憶手段から選択された識別情報とを、管理サーバを介して同一グループの受話者の無線端末に送信する無線端末制御手段と、管理サーバから受信した送話者の識別情報を出力する出力手段と、管理サーバから受信した送話者の音声を出力する発音手段とを備えるように構成したので、受話者は送話者を容易に識別することが可能になり、かつ音声以外に送話者に関する情報を取得できるようになり、利便性が向上するという効果が得られる。
【発明を実施するための最良の形態】
【００１０】
実施の形態１．
図１は、この発明の実施の形態１によるＰＴＴシステムに適用される無線端末の構成を示すブロック図である。図に示すように、無線端末２０は、アンテナ２１、送受信部２２、出力部（出力手段）２３、入力部２４、スピーカ（発音手段）２５、無線端末制御部（無線端末制御手段）２６、プッシュボタン２７、マイク（音声取得手段）２８、記憶部（記憶手段）２９、ＧＰＳ（Ｇｌｏｂａｌ  Ｐｏｓｉｔｉｏｎｉｎｇ  Ｓｙｓｔｅｍ）受信機３０を備える。
【００１１】
入力部２４は、ユーザが当該無線端末２０を操作し、指示を出すためのものである。出力部２３は、ユーザに出力情報を提示する。プッシュボタン２７は、自身が押下されている間はユーザの音声を取得するようにマイク２８を制御する。マイク２８は、取得した音声を無線端末制御部２６に供給する。ＧＰＳ受信機３０は、測地衛星の発信する電波を受信して、ユーザの現在位置を取得する。
【００１２】
ユーザは、記憶部２９に自身を識別するための情報を予め格納しておく。無線端末２０は、これらの情報を付加情報として音声と共にＰＴＴ管理サーバ（管理サーバ）を介して受話側に送信する。図２は付加情報について説明する図である。図に示すように、付加情報項目としては、例えば、画像情報、メロディ情報、位置情報（送信者入力）、位置情報（ＧＰＳ情報）がある。画像情報の送信データはユーザに関する画像データであり、メロディ情報の送信データはユーザを識別できる固有のメロディデータである。位置情報（送信者入力）は、送信者が入力部２４から入力した位置情報であり、送信データは現在位置である。位置情報（ＧＰＳ情報）は、ＧＰＳ受信機３０が受信した位置情報である。
【００１３】
ユーザは、入力部２４を操作してこれらの付加情報を送信する／送信しないの設定を予め行っておく。入力部２４は付加情報の設定の操作に応じて、その旨を無線端末制御部２６に通知する。無線端末制御部２６は、出力部２３から、付加情報項目を表示する。付加情報項目が表示されると、送話者は入力部２４を操作して各項目について受話者に送信するか送信しないかを選択する。図２では、画像情報のみを送信し、他の付加情報は送信しないと設定した場合を示す。
【００１４】
続いて、ユーザは実際に送信する画像情報として、送話者の写真など任意の画像データを送信データ項目に設定する。ただし、送信データは、付加情報項目によっては設定しなくてもよい場合もある。無線端末制御部２６はユーザからの操作に応じて、各付加情報項目の送信設定および送信データを、記憶部２９に格納する。設定内容は、記憶部２９に保存されるので、送話者は同じ設定を使用する場合は一度設定を実施するだけでよい。
【００１５】
図３は、ＰＴＴ管理サーバ３１の構成を示すブロック図である。図に示すように、ＰＴＴ管理サーバ３１は、接続インタフェース３２、通信部（通信手段）３３、ＰＴＴ管理サーバ制御部（管理サーバ制御手段）３４、記憶部（追加情報記憶手段）３５を備える。ＰＴＴ管理サーバ３１は、接続インタフェース３２を介してＰＴＴネットワークと接続し、通信部３３が通信処理を行う。記憶部３５は、同一グループに所属する無線端末の識別番号等をグループ毎に予め登録する。ＰＴＴ管理サーバ制御部３４は、記憶部３５から同一グループ内として登録された無線端末の識別番号等を読み出し、送話者を除くグループ内のすべての無線端末を選択し、通信部３３に供給する。通信部３３は、接続インタフェース３２を介して、選択された無線端末に送話者から送られた音声等を送信する。
【００１６】
図４は、この実施の形態１に係るＰＴＴシステムの動作を示すフローチャートである。
送話者側の無線端末Ａから、ＰＴＴ管理サーバを介して受話者側の無線端末Ｂに音声を送信するとする。送話者は無線端末Ａを操作して音声を送信する（ステップＳＴ２０１）。音声を送信するときは、無線端末Ａのプッシュボタン２７を押下しながらマイク２８に対して音声を発する。マイク２８は、取得した音声を無線端末制御部２６に供給する。またこのとき、無線端末制御部２６は記憶部２９に保存されている付加情報項目の送信設定に基づいて、送信すると設定された付加情報項目の送信データを読み出す。ここでは、図２に示したように画像データを読み出す。無線端末制御部２６は、取得した音声と読み出した送信データとを送受信部２２に供給する（ステップＳＴ２０２）。送受信部２２は音声と共に送信データを付加情報としてアンテナ２１を介して無線でＰＴＴ管理サーバ送信する（ステップＳＴ２０３）。
【００１７】
ＰＴＴ管理サーバは、接続インタフェース３２を介して通信部３３において音声と送信データを受信する。ＰＴＴ管理サーバ制御部３４は、上記受信に応答して記憶部３５から送信者の所属するグループを読み出し、送話者を除くグループ内のすべての無線端末を選択して通信部３３に供給する。通信部３３は選択された無線端末に、送話者から送られた音声等を接続インタフェース３２を介して送信する（ステップＳＴ２０４）。ここでは、ＰＴＴ管理サーバは無線端末Ａから音声および付加情報を受け取ると、受話者の無線端末Ｂに送信する（ステップＳＴ２０５）。
【００１８】
受話者の無線端末Ｂは、アンテナ２１を介して無線で音声と付加情報を受信し、無線端末制御部２６が音声を取り出してスピーカ２５に供給すると共に、付加情報を出力部２３に供給する。スピーカ２５は、受け取った送話者の音声を出力する（ステップＳＴ２０６）。出力部２３は、受け取った送話者からの画像データを表示する（ステップＳＴ２０７）。
【００１９】
以上のように、この実施の形態１によれば、送話者側の無線端末は音声と共に送話者の画像データを送信し、受話者側の無線端末は送られた画像データを出力部２３に表示して受話者が確認できるようにしたので、受話者は音声と文字情報以外を取得することによって従来よりも容易に送話者を識別できるようになり、利便性が向上するという効果が得られる。
【００２０】
実施の形態２．
実施の形態２では、送話者側の無線端末が、図２の付加情報のうちメロディ情報を送信し、メロディ情報以外は送信しないと設定された場合について説明する。送話者は実際に送信する送信データとして任意のメロディデータを設定しておく。
【００２１】
送話者は音声を送信する。このとき、無線端末制御部２６は記憶部２９からメロディデータを読み出し、音声と共に送受信部２２に供給する。送受信部２２は音声と共にメロディデータを付加情報としてアンテナ２１を介してＰＴＴ管理サーバ送信する。ＰＴＴ管理サーバは、実施の形態１と同様に送話者を除くグループ内のすべての無線端末を選択し、送話者から送られた音声とメロディデータとを受話者に送信する。受話者の無線端末は、アンテナ２１を介して無線で音声とメロディデータを受信し、無線端末制御部２６の制御によりスピーカ２５から送話者の音声とメロディデータを出力する。このとき、スピーカ２５は音声とメロディデータのどちらを先に出力してもよい。
【００２２】
以上のように、この実施の形態２によれば、無線端末は音声と共に送話者のメロディデータを受話者に送信し、受話者側では音声とメロディデータとをスピーカ２５から出力するようにしたので、受話者は、送話者の音声とメロディデータとを確認できるため出力部２３を注視する必要がなくなり、容易に送話者を識別することが可能になり、利便性が向上するという効果が得られる。
【００２３】
実施の形態３．
実施の形態３では、送話者側の無線端末が、図３の付加情報のうち位置情報（送信者入力）を送信し、これ以外は送信しないと設定された場合について説明する。送話者は実際に送信する送信データとして住所や周囲の建物の画像など現在位置情報を設定し、記憶部２９に保存しておく。
【００２４】
送話者は音声を送信する。このとき、無線端末制御部２６は記憶部２９から現在位置情報を読み出し、音声と共に送受信部２２に供給する。送受信部２２は音声と共に現在位置情報を付加情報としてアンテナ２１を介してＰＴＴ管理サーバ送信する。ＰＴＴ管理サーバは、送話者を除くグループ内のすべての無線端末を選択し、送話者から送られた音声と現在位置情報とを受話者に送信する。受話者の無線端末は、アンテナ２１を介して無線で音声と現在位置情報を受信し、無線端末制御部２６の制御によりスピーカ２５から送話者の音声を出力し、出力部２３に送話者の現在位置情報を表示する。
【００２５】
以上のように、この実施の形態３によれば、無線端末は音声と共に送話者の現在位置情報を受話者に送信するようにし、受話者側では現在位置情報を出力部２３に表示するようにしたので、受話者は、送話者の音声と現在位置情報を確認できるため音声以外に送話者の情報を取得することが可能となり、利便性が向上するという効果が得られる。
【００２６】
実施の形態４．
実施の形態４では、音声と共に付加情報を送信したとき、付加情報に関連する追加情報をＰＴＴ管理サーバが追加して受信者側に送信することについて説明する。ここでは、送話者は付加情報として位置情報（ＧＰＳ情報）を送信し、これ以外は送信しないと設定したとする。実際に送信する送信データとして、音声送信時に無線端末制御部２６がＧＰＳ受信機３０から位置情報を取得する。ＰＴＴ管理サーバは、付加情報に関連する追加情報を記憶部３５に保持する。追加情報は、例えば位置情報に対応する地図画像等である。
【００２７】
図５は、この実施の形態４に係るＰＴＴシステムの動作を示すフローチャートである。この図を参照して動作について説明する。
送話者は音声を送信する（ステップＳＴ３０１）。このとき、無線端末制御部２６はＧＰＳ受信機３０から位置情報を取得し、音声と共に送受信部２２に供給する（ステップＳＴ３０２）。送受信部２２は音声と共に位置情報を付加情報としてＰＴＴ管理サーバ送信する（ステップＳＴ３０３）。ＰＴＴ管理サーバは、送話者から送られた位置情報を参照し、それに対応する地図画像を記憶部３５から読み出して、音声と付加情報に追加する（ステップＳＴ３０４）。
【００２８】
ＰＴＴ管理サーバは、送話者を除くグループ内のすべての無線端末を選択し（ステップＳＴ３０５）、送話者から送られた音声と位置情報、および追加情報を受話者に送る（ステップＳＴ３０６）。受話者の無線端末は、アンテナ２１を介して無線で音声と位置情報、および追加情報を受信し、無線端末制御部２６の制御によりスピーカ２５から送話者の音声を出力し（ステップＳＴ３０７）、出力部２３に送話者の位置情報、追加情報を表示する（ステップＳＴ３０８）。
【００２９】
以上のように、この実施の形態４によれば、ＰＴＴ管理サーバが送話者から送られた音声、付加情報に加えて追加情報を取得して送信するようにしたので、受話者は、送られた音声と位置情報、および追加情報を出力部２３で確認することによって音声以外に送話者の情報を取得することが可能となり、利便性が向上するという効果が得られる。
【００３０】
なお、上記実施の形態１〜４は本発明における一例である。設定可能な付加情報は図２の例以外の情報でもよく、またＰＴＴ管理サーバで追加する情報は地図画像だけでなく位置情報の付近に存在する建物の情報等でもよい。
【図面の簡単な説明】
【００３１】
【図１】この発明の実施の形態１による無線端末の構成を示すブロック図である。
【図２】同実施の形態１に係る付加情報の設定例を示す図である。
【図３】同実施の形態１によるＰＴＴ管理サーバの構成を示すブロック図である。
【図４】同実施の形態１による無線端末の動作を示すフローチャートである。
【図５】この発明の実施の形態４による無線端末の動作を示すフローチャートである。
【符号の説明】
【００３２】
２０  無線端末、２１  アンテナ、２２  送受信部、２３  出力部（出力手段）、２４  入力部、２５  スピーカ（発音手段）、２６  無線端末制御部（無線端末制御手段）、２７  プッシュボタン、２８  マイク（音声取得手段）、２９  記憶部（記憶手段）、３０  ＧＰＳ受信機、３１  ＰＴＴ管理サーバ（管理サーバ）、３２  接続インタフェース、３３  通信部（通信手段）、３４  ＰＴＴ管理サーバ制御部（ＰＴＴ管理サーバ制御手段）、３５  記憶部（追加情報記憶手段）。
【図１】
2006246201.tif 000003
【図２】
2006246201.tif 000004
【図３】
2006246201.tif 000005
【図４】
2006246201.tif 000006
【図５】
2006246201.tif 000007